(57)【要約】  高所設置機器を容易に着脱できる交換金具を提供するために、交換金具（１）に、挿抜することにより、高所に設置する高所設置機器である無線アクセスポイント（１０）との間で電気的な接続と遮断を行う一対の電気接続部材（６）のうち、無線アクセスポイント（１０）の設置部（３）側に設けられる電気接続部材（６）が接続可能に設けられ、設置部（３）に配設されるベース部（２０）と、無線アクセスポイント（１０）を取り付けることができると共に、一対の電気接続部材（６）のうち無線アクセスポイント（１０）側の電気接続部材（６）が接続可能に設けられ、且つ、ベース部（２０）に対して着脱自在に構成され、ベース部（２０）に取り付けることにより一対の電気接続部材（６）同士の間での電気的な接続を行うことが可能な本体部（６０）と、本体部（６０）に取り付けられた無線アクセスポイント（１０）を着脱自在に支持する支持部材（８０）と、を備える。
2016046894.tif 000002
【特許請求の範囲】
【請求項１】
挿抜することにより、高所に設置する高所設置機器との間で電気的な接続と遮断を行う一対の電気接続部材のうち、前記高所設置機器の設置部側に設けられる前記電気接続部材が接続可能に設けられ、前記設置部に配設されるベース部と、  前記高所設置機器を取り付けることができると共に、一対の前記電気接続部材のうち前記高所設置機器側の前記電気接続部材が接続可能に設けられ、且つ、前記ベース部に対して着脱自在に構成され、前記ベース部に取り付けることにより一対の前記電気接続部材同士の間での電気的な接続を行うことが可能な本体部と、  前記本体部に取り付けられた前記高所設置機器を着脱自在に支持する支持部材と、  を備えることを特徴とする高所設置機器の交換金具。
【請求項２】
前記ベース部と前記本体部とには、挿抜することにより一対の前記電気接続部材同士の間での電気的な接続と遮断を行うことができる一対の中間接続部材がそれぞれに備えられており、  一対の前記中間接続部材は、前記ベース部に対する前記本体部の着脱と共に挿抜が行われる請求項１に記載の高所設置機器の交換金具。
【請求項３】
前記支持部材は、前記高所設置機器を保持する保持機構を一端側に備えており、他端側には、前記保持機構での前記高所設置機器の保持状態と解放状態とを切り替える操作部材が備えられている請求項１または２に記載の高所設置機器の交換金具。
【請求項４】
前記支持部材には、前記保持機構によって前記高所設置機器を保持することが可能な状態であることを報知する保持可能報知手段が備えられている請求項３に記載の高所設置機器の交換金具。
【請求項５】
前記本体部には、前記ベース部への着脱方向に直交する方向に突出する突起部が設けられており、  前記ベース部には、前記突起部が入り込んで係合するガイド溝が形成されており、  前記ガイド溝は、前記ベース部に対して前記本体部を着脱する際に前記突起部が通る通路部と、前記ベース部への前記本体部の取り付け時に前記突起部が係合する係合部と、を有し、  前記通路部は、前記ベース部に対して前記本体部を着脱する方向に延びると共に、一端が開放して前記突起部の出入りが可能になっており、  前記係合部は、前記通路部における開放している側の端部の反対側の端部に連通しており、  前記突起部は、前記通路部に入り込んだ状態で前記通路部における前記係合部が連通している側の端部で前記通路部の溝幅方向に移動することにより前記係合部に入り込み、前記係合部と係合する請求項１〜４のいずれか１項に記載の高所設置機器の交換金具。
【請求項６】
前記突起部は、突出方向の長さが異なる長さで複数が前記本体部に設けられており、  前記ガイド溝は、複数の前記突起部に対応して複数が設けられ、  前記本体部は、複数の前記突起部が、対応する複数の前記ガイド溝にそれぞれ入り込むことにより、前記ベース部に取り付けることが可能である請求項５に記載の高所設置機器の交換金具。
【請求項７】
前記支持部材は、長さを調節することができる請求項１〜６のいずれか１項に記載の高所設置機器の交換金具。
【請求項８】
前記ベース部または前記本体部には、前記本体部が取り付けられたことを報知する取付完了報知手段が備えられている請求項１〜７のいずれか１項に記載の高所設置機器の交換金具。
【発明の詳細な説明】
【技術分野】
【０００１】  本発明は、高所設置機器の交換金具に関する。
【背景技術】
【０００２】  無線ＬＡＮ（Ｌｏｃａｌ  Ａｒｅａ  Ｎｅｔｗｏｒｋ）で用いる無線アクセスポイントは、電波感度向上のために、天井等の高所に取り付けられる傾向が多く、他に監視カメラや、広い室内に設置されるスピーカ等も、高所に設置されることが多くなっている。このように、高所に設置する高所設置機器は、手が届き難い天井等に設置することになるため、高所設置機器を設置する設置部の中には、高所設置機器の取り付けや取り外しを行う際における着脱性を向上させることのできる構造になっているものがある（例えば、特許文献１〜３）。
【先行技術文献】
【特許文献】
【０００３】
【特許文献１】特許第５３１０４８１号公報
【特許文献２】特許第４９６８７９１号公報
【特許文献３】実用新案登録第３１８８１６０号公報
【発明の概要】
【発明が解決しようとする課題】
【０００４】  しかしながら、高所設置機器を着脱する際の高所作業時には、脚立等の昇降設備を用いて作業することが一般的だが、昇降設備を用いて高所で作業を行った場合、機器の落下や作業者が転落する虞がある。このため、高所設置機器の設置部や高所設置機器を着脱するための作業には、改善の余地があった。【０００５】  本発明は、上記に鑑みてなされたものであって、高所設置機器を容易に着脱することのできる高所設置機器の交換金具を提供することを目的とする。
【課題を解決するための手段】
【０００６】  上述した課題を解決するために、本発明に係る高所設置機器の交換金具は、挿抜することにより、高所に設置する高所設置機器との間で電気的な接続と遮断を行う一対の電気接続部材のうち、前記高所設置機器の設置部側に設けられる前記電気接続部材が接続可能に設けられ、前記設置部に配設されるベース部と、前記高所設置機器を取り付けることができると共に、一対の前記電気接続部材のうち前記高所設置機器側の前記電気接続部材が接続可能に設けられ、且つ、前記ベース部に対して着脱自在に構成され、前記ベース部に取り付けることにより一対の前記電気接続部材同士の間での電気的な接続を行うことが可能な本体部と、前記本体部に取り付けられた前記高所設置機器を着脱自在に支持する支持部材と、を備える。
【発明の効果】
【０００７】  本発明に係る高所設置機器の交換金具は、高所設置機器を容易に着脱することができる、という効果を奏する。
【図面の簡単な説明】
【０００８】
【図１】図１は、実施形態に係る高所設置機器の交換金具の概略構成を示す説明図である。
【図２】図２は、実施形態に係る高所設置機器の交換金具を用いて高所設置機器を着脱する場合の説明図である。
【図３】図３は、図１に示すベース部の側面図である。
【図４】図４は、図３のＡ−Ａ矢視図である。
【図５】図５は、図３のＢ−Ｂ矢視図である。
【図６】図６は、図１に示す本体部の側面図である。
【図７】図７は、図６のＣ−Ｃ矢視図である。
【図８】図８は、図６のＤ−Ｄ矢視図である。
【図９】図９は、図１に示すアタッチメントの平面図である。
【図１０】図１０は、図２に示す支持部材が有する支持棒の側面図である。
【図１１】図１１は、図１０に示す水平器を支持棒に取り付けた状態を示す説明図である。
【図１２】図１２は、図１０に示す操作ボタンのＯＮ状態を示す説明図である。
【図１３】図１３は、図１０に示す操作ボタンのＯＦＦ状態を示す説明図である。
【図１４】図１４は、図１２に示す支持棒を連結した状態を示す説明図である。
【図１５】図１５は、図２に示す保持機構の側面図である。
【図１６】図１６は、図１５のＥ−Ｅ矢視図である。
【図１７】図１７は、図１５のＦ−Ｆ矢視図である。
【図１８】図１８は、図１５のＧ−Ｇ矢視図である。
【図１９】図１９は、図１５に示すスライダがストッパの方向に移動した場合の説明図である。
【図２０】図２０は、図１５に示す保持機構のサイドサポート取付け座に取り付けられるサイドサポートの正面図である。
【図２１】図２１は、図２０のＨ−Ｈ矢視図である。
【図２２】図２２は、無線アクセスポイントを本体部に取り付けた状態を示す説明図である。
【図２３】図２３は、無線アクセスポイントを保持機構で保持する場合の説明図である。
【図２４】図２４は、無線アクセスポイントを保持機構で保持する際における動作の説明図である。
【図２５】図２５は、支持部材で支持する無線アクセスポイントをベース部に取り付ける状態を示す説明図である。
【図２６】図２６は、図２５に示す支持棒の下方に支持棒を継ぎ足した状態を示す説明図である。
【図２７】図２７は、図２６に示す支持棒の下方に支持棒を継ぎ足した状態を示す説明図である。
【図２８】図２８は、本体部をベース部に取り付ける場合の斜視図である。
【図２９】図２９は、本体部をベース部に取り付けた状態を示す斜視図である。
【図３０】図３０は、本体部をベース部に取り付けた状態を示す側面図である。
【図３１】図３１は、支持部材を無線アクセスポイントから取り外す際の説明図である。
【図３２】図３２は、無線アクセスポイントを保持している支持部材を短くする場合の説明図である。
【図３３】図３３は、図３２に示す支持部材から、最下段の支持棒を取り外す場合の説明図である。
【図３４】図３４は、実施形態に係る高所設置機器の交換金具の変形例であり、アタッチメントの平面図である。
【発明を実施するための形態】
【０００９】  以下に、本発明に係る高所設置機器の交換金具の実施形態を図面に基づいて詳細に説明する。なお、この実施形態によりこの発明が限定されるものではない。また、下記実施形態における構成要素には、当業者が置換可能、且つ、容易なもの、或いは実質的に同一のものが含まれる。
【００１０】  〔実施形態〕  図１は、実施形態に係る高所設置機器の交換金具の概略構成を示す説明図である。図２は、実施形態に係る高所設置機器の交換金具を用いて高所設置機器を着脱する場合の説明図である。図１、図２に示す高所設置機器の交換金具１は、高所に設置する機器である高所設置機器を、昇降設備を用いることなく、設置部３に対して着脱することができるように構成されている。本実施形態では、高所設置機器として、無線ＬＡＮ（Ｌｏｃａｌ  Ａｒｅａ  Ｎｅｔｗｏｒｋ）で使用する無線アクセスポイント１０が用いられ、交換金具１は、無線アクセスポイント１０を、高所の一例である室内の天井２の設置部３に対して着脱することができるように構成されている。
【００１１】  この交換金具１は、天井２の設置部３に配設されるベース部２０と、無線アクセスポイント１０を取り付けることができる本体部６０と、本体部６０に取り付けられた無線アクセスポイント１０を着脱自在に支持する支持部材８０と、を備えている。無線アクセスポイント１０は、本体部６０とベース部２０とを介して天井２の設置部３に設置することができ、作業者Ｗは、天井２の下方で支持部材８０を支持することにより、天井２の下方に居ながら、無線アクセスポイント１０を天井２の設置部３に対して着脱することが可能になっている。
【００１２】  天井２における無線アクセスポイント１０の設置部３に配設されるベース部２０は、挿抜することにより、無線アクセスポイント１０との間で電気的な接続と遮断を行う一対の電気接続部材６のうち、無線アクセスポイント１０の設置部３側に設けられる電気接続部材６が接続可能に設けられている。この場合における一対の電気接続部材６としては、例えば、ＬＡＮ等で用いられる通信用のコネクタである「ＲＪ４５」が用いられる。ベース部２０は、ＬＡＮ用のサーバ（図示省略）に接続されて天井２に配設されるサーバ側ＬＡＮケーブル５に接続されるＲＪ４５プラグ７が、接続可能になっている。
【００１３】  無線アクセスポイント１０は、ベース部２０に対して着脱自在に構成される本体部６０に、アタッチメント７７を介して取り付けられている。即ち、無線アクセスポイント１０は、アタッチメント７７を介して取り付けられた無線アクセスポイント１０が取り付けられた本体部６０が、ベース部２０に連結されることにより、天井２における当該無線アクセスポイント１０の設置部３に配設される。
【００１４】  図３は、図１に示すベース部の側面図である。図４は、図３のＡ−Ａ矢視図である。ベース部２０は、一端側が閉塞した略角筒状の形状で形成されるベース部本体２１と、ベース部本体２１における開口端側に位置し、ベース部２０を天井２に取り付ける部分であるベース部取付部材２２と、有している。ベース部取付部材２２は、ベース部本体２１における開口端側に、鍔状の形状で形成されている。ベース部２０は、ベース部本体２１の開口端側が下方に位置し、下方に向かって開口する向きで、ベース部取付部材２２によって天井２の設置部３に取り付けられる。
【００１５】  ベース部本体２１おける閉塞端側には、一対の電気接続部材６のうち、無線アクセスポイント１０に設けられる電気接続部材６であるＲＪ４５レセプタ１１（図２２参照）の代わりに設けられるＲＪ４５レセプタ４５が設けられている。つまり、ＲＪ４５レセプタ４５は、ベース部本体２１の形状である角筒の軸方向において、ベース部本体２１におけるベース部取付部材２２が位置する側の反対側の端部に位置し、ベース部本体２１の外面側に配設されている。
【００１６】  詳しくは、ベース部本体２１における閉塞端側には、ベース部本体２１の形状である角筒の軸方向に沿って延びる回動軸を中心として回動自在に配設される回動部材４０が設けられており、ＲＪ４５レセプタ４５は、この回動部材４０に取り付けられている。回動部材４０には、回動部材４０に対して所望の回動方向へ付勢力を付与するコネクタ位置補正用バネ４１が連結されている。コネクタ位置補正用バネ４１は、他端側がベース部本体２１に連結されることにより、回動部材４０に対して回動方向の付勢力を付与することができるようになっている。回動自在に配設される回動部材４０は、回動部材４０に対して外力が入力されない状態では、コネクタ位置補正用バネ４１から付与される付勢力により、所望の回動角度を維持する。
【００１７】  図５は、図３のＢ−Ｂ矢視図である。ベース部２０と本体部６０とには、挿抜することにより、一対の電気接続部材６同士の間での電気的な接続と遮断を行うことができる一対の中間接続部材である通信用コネクタ７１がそれぞれに備えられている。一対の通信用コネクタ７１は、ベース部２０に対する本体部６０の着脱と共に挿抜が行われる。
【００１８】  一対の通信用コネクタ７１のうち、ベース部２０側には、通信用レセプタ４６が備えられている。この通信用レセプタ４６は、例えば、イーサネット（登録商標）で用いられるコネクタのレセプタが用いられる。通信用レセプタ４６は、回動部材４０におけるベース部本体２１の内側の面側に設けられており、ベース部本体２１における開口端側を向く向きで配設されている。通信用レセプタ４６は、このように回動部材４０に設けられているため、回動部材４０の回動時には、回動部材４０と一体となって回動することが可能になっている。これらのように回動部材４０の両面に配設されている通信用レセプタ４６とＲＪ４５レセプタ４５とは、電気的に接続されている。
【００１９】  また、回動部材４０における通信用レセプタ４６の側方には、本体部６０に設けられるガイド部７４（図６参照）が差し込まれるガイド孔４３が形成されている。このガイド孔４３は、通信用レセプタ４６を挟んで２つが、通信用レセプタ４６の近傍に形成されている。
【００２０】  また、ベース部２０には、本体部６０に設けられる本体部ロックピン６３（図１参照）が入り込んで係合するガイド溝３０が形成されている。このガイド溝３０は、ベース部本体２１を構成する板材を切り欠いて形成されており、ベース部本体２１におけるベース部取付部材２２が位置する側の端部から、回動部材４０が位置する側の端部側に向けて形成されている。このように形成されるガイド溝３０は、ベース部２０に対して本体部６０を着脱する際に本体部ロックピン６３が通る通路部３１と、ベース部２０への本体部６０の取り付け時に本体部ロックピン６３が係合する係合部３４と、を有している。
【００２１】  このうち、通路部３１は、ベース部２０に対して本体部６０を着脱する方向、つまり、ベース部本体２１の形状である角筒の軸方向に沿った方向に延びると共に、一端が開放して本体部ロックピン６３の出入りが可能になっている。即ち、通路部３１は、ベース部本体２１におけるベース部取付部材２２が位置する側の端部が開放し、開放部３２として形成されており、本体部ロックピン６３は、通路部３１に対して、この開放部３２から出入りが可能になっている。
【００２２】  また、係合部３４は、通路部３１における開放部３２側の端部の反対側の端部である係合部連通部３３に連通しており、係合部連通部３３から、短い長さでベース部取付部材２２が位置する側に向かって形成されている。つまり、ガイド溝３０は、ベース部本体２１の形状である角筒の軸方向に沿った方向において係合部連通部３３が位置する側に凸となって折り返されており、折り返された部分である係合部３４が、通路部３１の溝幅方向における通路部３１の側方に、短い長さで並んで形成されている。
【００２３】  このように形成されるガイド溝３０は、略角筒状に形成されるベース部本体２１の４つの側面において、対向する２つの側面に形成されている。２つの側面に形成される２つのガイド溝３０は、回動部材４０の回動時における回動軸を中心とする点対称の形状で形成されている。つまり、本体部ロックピン６３は、複数が本体部６０に設けられており、ガイド溝３０は、複数の本体部ロックピン６３に対応して複数が設けられている。
【００２４】  さらに、ベース部取付部材２２には、ガイド溝３０に連通する孔であるロックピン孔２３が形成されている。ロックピン孔２３は、ベース部取付部材２２を形成する板材を板厚方向に連通する孔として形成されており、ガイド溝３０の開放部３２から、ベース部本体２１の外側方向に離れる方向に向けて形成されている。ロックピン孔２３は、２箇所のガイド溝３０に対応してベース部取付部材２２の２箇所に形成されている。２箇所のロックピン孔２３は、ガイド溝３０の開放部３２から、ベース部本体２１の外側方向に離れる方向に向けた長さがそれぞれ異なっており、この長さが長い方のロックピン孔２３は第１ロックピン孔２４になっており、短い方のロックピン孔２３は第２ロックピン孔２５になっている。
【００２５】  また、ベース部２０には、本体部６０をベース部２０に取り付ける際に、本体部６０の姿勢を調整する本体部姿勢調整部２６が設けられている。本体部姿勢調整部２６は、ベース部本体２１内に配設されており、外形の形状が、ベース部本体２１の内側形状と同等の形状になり、板厚方向に連通する孔が内側に開いた板状の形状で形成されている。このように形成される本体部姿勢調整部２６は、板厚方向が、ベース部本体２１の形状である角筒の軸方向に沿った向きで、ベース部本体２１内に配設されている。さらに、本体部姿勢調整部２６は、任意の複数箇所が、ベース部本体２１に形成される切欠きよりベース部本体２１の外側に出ており、本体部姿勢調整部２６のこの部分には、それぞれに調整部バネ２７の一端が連結されている。調整部バネ２７は、引張りバネからなり、各調整部バネ２７の他端側は、ベース部取付部材２２に連結されている。これにより、本体部姿勢調整部２６には、ベース部取付部材２２に向かう方向の付勢力が、複数の調整部バネ２７によって付与されている。
【００２６】  また、ベース部２０には、本体部６０が取り付けられたことを報知する取付完了報知手段５０が備えられている。取付完了報知手段５０は、本体部６０の本体部ロックピン６３がガイド溝３０の係合部３４に係合したことを検出することにより、本体部６０が取り付けられたことを作業者Ｗに報知することが可能になっている。この取付完了報知手段５０は、本体部ロックピン６３が係合部３４に係合した際に、本体部ロックピン６３と電気的に接続される接点５１と、本体部ロックピン６３と接点５１とが電気的に接続された際に点灯するＬＥＤ（Ｌｉｇｈｔ  Ｅｍｉｔｔｉｎｇ  Ｄｉｏｄｅ）５２と、を有している。
【００２７】  図６は、図１に示す本体部の側面図である。図７は、図６のＣ−Ｃ矢視図である。図８は、図６のＤ−Ｄ矢視図である。本体部６０は、一端側が閉塞した略円筒状の形状で形成される本体部本体６１を有しており、本体部ロックピン６３は、本体部本体６１に設けられている。この本体部ロックピン６３は、本体部６０の、ベース部２０への着脱方向に直交する方向に突出する突起部として設けられている。本体部ロックピン６３は、突出方向の長さが異なる長さで複数が本体部６０に設けられており、具体的には、突出方向の長さが他方に対して長い第１ロックピン６４と、突出方向の長さが第１ロックピン６４よりも短い第２ロックピン６５との２つが設けられている。
【００２８】  本体部６０は、複数の本体部ロックピン６３が、対応する複数のガイド溝３０にそれぞれ入り込むことにより、ベース部２０に取り付けることが可能になっている。つまり、本体部ロックピン６３がガイド溝３０に入り込む際には、ロックピン孔２３を通りながらガイド溝３０の開放部３２からガイド溝３０に入り込むが、長さが長い第１ロックピン６４は、長さが短い第２ロックピン孔２５を通ることができないようになっている。換言すると、第１ロックピン６４は、第２ロックピン孔２５を通ることができない長さで形成されている。
【００２９】  このため、第１ロックピン６４は、第２ロックピン孔２５に連通するガイド溝３０には入り込むことができないようになっており、第１ロックピン孔２４に連通するガイド溝３０にしか入り込むことができないようになっている。従って、第１ロックピン６４には、第１ロックピン孔２４に連通するガイド溝３０が対応し、第２ロックピン６５には、第２ロックピン孔２５に連通するガイド溝３０が対応し、２つの本体部ロックピン６３は、対応する２つのガイド溝３０にそれぞれ入り込むことが可能になっている。
【００３０】  このように設けられる２つの本体部ロックピン６３には、それぞれに、本体部ロックピン６３がガイド溝３０の係合部３４に係合した際にベース部２０の接点５１と電気的に接続される電極７５が設けられている。この２つの電極７５には、取付完了報知手段５０の電源であるボタン電池７６が接続されている。
【００３１】  また、本体部６０には、挿抜することにより、一対の電気接続部材６同士の間での電気的な接続と遮断を行うことができる一対の通信用コネクタ７１のうち、ベース部２０が有する通信用レセプタ４６（図５参照）に接続可能な通信用プラグ７２が配設されている。この通信用プラグ７２は、略円筒状の形状で形成される本体部本体６１における閉塞端側に位置して本体部本体６１を閉塞する部分である上面部７０に設けられており、本体部本体６１の外側方向を向く向きで配設されている。一対の通信用コネクタ７１は、ベース部２０に対する本体部６０の着脱と共に、この通信用プラグ７２と、ベース部２０に設けられる通信用レセプタ４６との挿抜が行われるようになっている。
【００３２】  通信用プラグ７２の側方には、通信用プラグ７２を通信用レセプタ４６に差し込む際におけるガイドであるガイド部７４が設けられている。このガイド部７４は、通信用プラグ７２を挟んで２つが、通信用プラグ７２の近傍に形成されている。ガイド部７４は、通信用レセプタ４６の近傍にベース部２０に設けられるガイド孔４３（図５参照）に差し込むことが可能になっており、通信用プラグ７２を通信用レセプタ４６に差し込む際に、先にガイド孔４３に差し込まれることにより、通信用プラグ７２の差し込み時におけるガイドの役割を果たす。このため、通信用プラグ７２とガイド部７４との位置関係は、通信用レセプタ４６とガイド孔４３との位置関係とほぼ同じ関係になっている。
【００３３】  また、本体部６０は、一対の電気接続部材６のうち無線アクセスポイント１０側の電気接続部材６であるＲＪ４５レセプタ１１（図２２参照）が接続可能に設けられている。即ち、本体部６０には、無線アクセスポイント１０のＲＪ４５レセプタ１１に接続されるアクセスポイント側ＬＡＮケーブル１５（図２２参照）が有する中間プラグ１７（図２２参照）が接続される中間レセプタ７３が設けられている。この中間レセプタ７３は、上面部７０における本体部本体６１の内側の面側に設けられており、本体部本体６１における開口端側を向く向きで配設されている。
【００３４】  本体部本体６１には、本体部本体６１の外側から内側にアクセスポイント側ＬＡＮケーブル１５を導入する孔であるケーブル導入口６２が形成されている。アクセスポイント側ＬＡＮケーブル１５は、このケーブル導入口６２を通ることにより、本体部本体６１の外側に位置する無線アクセスポイント１０のＲＪ４５レセプタ１１と、本体部本体６１内に位置する中間レセプタ７３とに接続することが可能になっている。
【００３５】  これらのように上面部７０の両面に配設されている中間レセプタ７３と通信用プラグ７２とは、電気的に接続されている。このため、本体部６０は、中間レセプタ７３と、無線アクセスポイント１０のＲＪ４５レセプタ１１とをアクセスポイント側ＬＡＮケーブル１５で接続した状態で、ベース部２０に取り付けて通信用プラグ７２と通信用レセプタ４６とを接続することにより、一対の電気接続部材６同士の間での電気的な接続を行うことが可能になっている。
【００３６】  本体部本体６１における上面部７０の反対側に位置する端部には、当該端部における本体部本体６１の内面側に、比較的狭い幅で内側方向に全周にかけて突出した底面部６６が形成されている。この底面部６６には、無線アクセスポイント１０に取り付けられたアタッチメント７７を本体部６０に取り付ける部分であるアタッチメント取付部６７が形成されている。アタッチメント取付部６７は、底面部６６の二箇所に形成されており、一方のアタッチメント取付部６７は孔状の形状で形成され、もう一方のアタッチメント取付部６７は切欠き状の形状で形成されている。
【００３７】  アタッチメント取付部６７は、ビス（図示省略）等の取付部材を、本体部本体６１の内部側からアタッチメント取付部６７に通し、底面部６６を挟んでビスをアタッチメント７７に螺合することにより、アタッチメント７７を本体部６０に取り付けることが可能になっている。このため、本体部６０の上面部７０には、アタッチメント取付部６７が形成されている位置に対応する位置に、アタッチメント取付部６７に通す取付部材を操作する工具を通す孔であるアタッチメント取付用孔６８が形成されている。
【００３８】  図９は、図１に示すアタッチメントの平面図である。アタッチメント７７は、略レール状の形状で所定の長さで形成されており、幅方向における両側に、無線アクセスポイント１０に嵌合する嵌合部７８が形成されている。嵌合部７８は、無線アクセスポイント１０に設けられる嵌合部材（図示省略）によって板厚方向に挟み込むことにより、無線アクセスポイント１０に嵌合することが可能になっている。また、取付け孔７９は、アタッチメント７７を本体部６０に取り付ける際のビス（図示省略）等の取付部材が螺合するネジ孔として形成されている。アタッチメント７７は、取付け孔７９に取付部材を螺合させることにより、本体部６０に取り付けることが可能になっている。
【００３９】  図１０は、図２に示す支持部材が有する支持棒の側面図である。無線アクセスポイント１０を天井２に対して着脱する際に用いる支持部材８０は、無線アクセスポイント１０を保持する保持機構８１（図２参照）を一端側に備えており、保持機構８１は、支持部材８０が有する棒状の部材である支持棒１００によって支持されている。この支持棒１００には、保持機構８１での無線アクセスポイント１０の保持状態と解放状態とを切り替える操作部材である操作ボタン１０１が備えられている。
【００４０】  この操作ボタン１０１としては、保持機構８１での無線アクセスポイント１０の保持を行うための操作であるＯＮ操作を行うＯＮ操作ボタン１０２と、保持機構８１での無線アクセスポイント１０の保持を解放するための操作であるＯＦＦ操作を行うＯＦＦ操作ボタン１０３とが設けられている。ＯＮ操作ボタン１０２とＯＦＦ操作ボタン１０３とは、支持棒１００の側面において、支持棒１００を挟んで互いに反対側に位置する部分にそれぞれ配設されている。
【００４１】  また、支持棒１００には、操作ボタン１０１の操作に応じて突出したり突出しなかったりする部材である支持棒ロックピン１０５が設けられている。支持棒ロックピン１０５は、支持棒１００の使用時における上端側に配設されており、ＯＮ操作ボタン１０２を押すと、支持棒１００の端部から上方に突出し、ＯＦＦ操作ボタン１０３を押すと、自重によって下がり、端部から突出しなくなるように設けられている。支持棒ロックピン１０５は、このように動作することにより、保持機構８１を動作させることが可能になっている。
【００４２】  また、支持部材８０は、本体部６０をベース部２０に対して取り付け可能な状態であるか否かを示す水平器１１０を備えている。水平器１１０は、支持棒１００への取付部１１１と、作業者Ｗが握る部分である持ち手１１２とを有しており、水平器１１０が水平状態であるか否かを示す水平針１１３を備えている。
【００４３】  このうち、取付部１１１は、内径が支持棒１００の外径と同程度で、円周方向の一部が切り欠かれた形状の部材からなり、取付部１１１を支持棒１００の外側から被せて支持棒１００に嵌めることにより、水平器１１０を支持棒１００に取り付けることが可能になっている。また、水平針１１３は、水平度を示す針状の部材を内設しており、この針状の部材を視認することにより、作業者Ｗは水平器１１０が水平状態であるか否かを認識することができる。
【００４４】  さらに、水平器１１０には、保持機構８１によって無線アクセスポイント１０を保持することが可能な状態であることを報知する保持可能報知手段であるブザー１１４が備えられている。このブザー１１４は、電源と、水平器１１０が水平状態であるか否かを検出するセンサと、音を発するスピーカとを有しており、水平器１１０が水平状態であることをセンサで検出すると、スピーカから音を発することが可能になっている。
【００４５】  図１１は、図１０に示す水平器を支持棒に取り付けた状態を示す説明図である。水平器１１０は、取付部１１１を、支持棒１００の使用時における下端寄りの位置に取り付けることにより、支持棒１００に取り付けることができる。水平器１１０は、この状態で水平針１１３とブザー１１４とにより水平状態であるか否かを検知することにより、支持棒１００が垂直状態であるか否かを検知することができる。また、水平器１１０が取り付けられた支持部材８０を作業者Ｗが支持する際には、このように支持棒１００に取り付けられた持ち手１１２を保持することによって支持する。
【００４６】  図１２は、図１０に示す操作ボタンのＯＮ状態を示す説明図である。図１３は、図１０に示す操作ボタンのＯＦＦ状態を示す説明図である。操作ボタン１０１が有するＯＮ操作ボタン１０２とＯＦＦ操作ボタン１０３とは、連動するように設けられており、ＯＮ操作ボタン１０２が押されたら、反対側に位置するＯＦＦ操作ボタン１０３が飛び出す。反対に、ＯＦＦ操作ボタン１０３が押されたら、反対側に位置するＯＮ操作ボタン１０２が飛び出すように設けられている。
【００４７】  支持棒ロックピン１０５は、支持棒１００内で、下端がＯＮ操作ボタン１０２に押されるか否かにより、支持棒１００の上端から飛び出したり飛び出さなかったりするように設けられている。つまり、ＯＮ操作ボタン１０２が押された場合、支持棒ロックピン１０５の下方にＯＮ操作ボタン１０２が入り込むことにより、支持棒ロックピン１０５はＯＮ操作ボタン１０２によって上方に押し出される。これにより、支持棒ロックピン１０５は、支持棒１００の上端から上方に突出する状態になる。
【００４８】  これに対し、ＯＦＦ操作ボタン１０３が押された場合には、ＯＮ操作ボタン１０２はＯＦＦ操作ボタン１０３によって押し戻され、ＯＦＦ操作ボタン１０３が位置する側の反対方向に飛び出す状態になる。これにより、ＯＮ操作ボタン１０２は、支持棒ロックピン１０５の下方から移動して支持棒ロックピン１０５の下方には位置しない状態になるため、支持棒ロックピン１０５は自重によって下方に下がる。また、支持棒１００内には、外部からの力によって上下移動が可能な連動部材１０６が支持棒ロックピン１０５の下方に配設されており、ＯＮ操作ボタン１０２が支持棒ロックピン１０５の下方から移動した場合には、支持棒ロックピン１０５は、連動部材１０６に接触する位置まで下がる。ＯＦＦ操作ボタン１０３が押された場合、支持棒ロックピン１０５は、このように連動部材１０６に接触する位置まで下がることにより、支持棒１００の上端からは飛び出さない状態になる。
【００４９】  図１４は、図１２に示す支持棒を連結した状態を示す説明図である。支持部材８０は、長さを調節することができ、具体的には、複数の支持棒１００を連結することにより、支持部材８０全体の長さを調節することが可能になっている。支持棒１００を連結した場合における操作ボタン１０１の操作に対する支持棒ロックピン１０５の動きについて説明すると、複数の支持棒１００を連結した場合には、支持棒１００が有する連動部材１０６は、下側の支持棒１００が有する支持棒ロックピン１０５の動きに連動する。
【００５０】  つまり、連動部材１０６は、下側の支持棒１００が有する支持棒ロックピン１０５が、支持棒１００の上端から飛び出さない状態である場合には、連動部材１０６は、この支持棒ロックピン１０５からは力が入力されないため、支持棒１００内で自重によって下方に下がった状態になる。
【００５１】  これに対し、連動部材１０６を有する支持棒１００の下側に連結される支持棒１００の支持棒ロックピン１０５が、上方に突出する状態である場合には、連動部材１０６は、下方からこの支持棒ロックピン１０５に押されることにより、連動部材１０６も上方に移動する。連動部材１０６が上方に移動した場合には、連動部材１０６は、当該連動部材１０６の上方に位置する支持棒ロックピン１０５を上方に押し、支持棒ロックピン１０５は、支持棒１００の上端から上方に突出する状態になる。このため、当該支持棒１００の操作ボタン１０１が、ＯＦＦ操作ボタン１０３が押された状態においても、支持棒ロックピン１０５は、下側の支持棒１００が有する支持棒ロックピン１０５の動きに連動し、下側の支持棒ロックピン１０５が上方に突出する状態の場合には、当該支持棒１００の支持棒ロックピン１０５も上方に突出する状態になる。
【００５２】  支持棒１００を連結した場合には、支持棒ロックピン１０５は、このように下側の支持棒１００の支持棒ロックピン１０５に連動するため、支持棒１００を連結した際には、最下段に位置する支持棒１００以外は、全てＯＦＦ操作ボタン１０３が押された状態にし、操作ボタン１０１をＯＦＦにする。保持機構８１は、支持棒１００の上端側に連結されるが、保持機構８１を動作させる支持棒ロックピン１０５は、最下段に位置する操作ボタン１０１によって操作することが可能になっている。即ち、保持機構８１での無線アクセスポイント１０の保持状態と解放状態とを切り替えることができる操作ボタン１０１は、保持機構８１が位置する側の端部の他端側に備えられている。
【００５３】  図１５は、図２に示す保持機構の側面図である。図１６は、図１５のＥ−Ｅ矢視図である。図１７は、図１５のＦ−Ｆ矢視図である。図１８は、図１５のＧ−Ｇ矢視図である。保持機構８１は、保持機構８１の基部になる保持機構基部８３の上に、無線アクセスポイント１０を下方から支持する部分である機器受け部８２が取り付けられている。保持機構基部８３と機器受け部８２とは、双方が合わせられた状態では、上下方向の厚さが薄い、略直方体状の形状で形成されている。機器受け部８２は、直方体の長手方向の長さが保持機構基部８３の長さよりも短くなっており、これにより、保持機構基部８３は、長手方向における機器受け部８２の両端側が、上方に開口している。
【００５４】  保持機構基部８３と機器受け部８２とにより画成される内部空間には、直方体の長手方向に移動可能なスライダ８５が配設されている。このスライダ８５の一端には、保持機構８１で無線アクセスポイント１０を保持する際に無線アクセスポイント１０の側方に当接するストッパ８４が連結されている。このストッパ８４は、保持機構基部８３の長手方向において、機器受け部８２の両端で上方に開口している部分のうち、一方の開口部分から、上方に向かって突出している。これにより、ストッパ８４は、機器受け部８２の一端側から上方に突出して配設されている。
【００５５】  スライダ８５におけるストッパ８４が連結されている側の端部の反対側の端部には、無線アクセスポイント１０におけるストッパ８４によって保持される側方の反対側の側方を保持するシャッタ８８が連結されている。このシャッタ８８は、回動軸８９を中心として回動自在にスライダ８５に連結されており、無線アクセスポイント１０を保持しない状態では、回動軸８９を中心として回動することにより倒れた状態になっている。
【００５６】  回動軸８９は、倒れた状態におけるシャッタ８８の、スライダ８５側の端部における、上端側で、シャッタ８８とスライダ８５とを連結している。回動軸８９の下方には、シャッタ８８に当接する当接部９０が保持機構基部８３に設けられており、シャッタ８８は、倒れた状態では、スライダ８５側の端部における回動軸８９の下方側の位置が、この当接部９０に当接している。これにより、シャッタ８８は、倒れる方向の回動が規制されている。
【００５７】  また、スライダ８５は、保持機構基部８３内に配設されるスライダバネ８７により、シャッタ８８が位置する方向への付勢力が付与されている。スライダバネ８７は、引張りバネからなり、一端側が保持機構基部８３側の固定部材に連結され、他端側が、スライダ８５に設けられるスライダストッパ８６に連結されている。これによりスライダ８５は、スライダバネ８７によって付勢力が付与されている。スライダバネ８７により付勢力が付与されるスライダ８５は、ストッパ８４が機器受け部８２に当接することにより、シャッタ８８が位置する方向への移動が規制されている。
【００５８】  また、保持機構基部８３の下面側、即ち、機器受け部８２が位置する側の反対側には、支持棒１００を連結する支持棒連結部９１が設けられている。支持棒連結部９１は、角筒状の形状で形成されており、角筒の一端が保持機構基部８３の下面側に連結されている。支持棒連結部９１は、角筒の内側が、支持棒１００を差し込む差し込み孔９２になっている。保持機構８１は、支持棒１００の上端部分が、この差し込み孔９２に差し込まれることにより、支持棒１００に連結される。
【００５９】  スライダ８５が有するスライダストッパ８６は、差し込み孔９２内に露出するように設けられている。詳しくは、スライダ８５が有するスライダストッパ８６は、ストッパ８４が機器受け部８２に当接する状態では、スライダストッパ８６は、差し込み孔９２の位置よりもシャッタ８８寄りの位置に位置することにより、差し込み孔９２内には露出しないようになっている。これに対し、ストッパ８４が機器受け部８２から離れる方向にスライダ８５が移動した際には、スライダストッパ８６もストッパ８４の方向に移動することにより、スライダストッパ８６は、差し込み孔９２内に露出する。
【００６０】  保持機構８１が支持棒１００に連結されている場合、支持棒１００の上端側に配設される支持棒ロックピン１０５は、支持棒１００の上端から突出する状態のときには、差し込み孔９２内に露出したスライダストッパ８６におけるシャッタ８８側の面に当接することにより、スライダ８５がシャッタ８８の方向に移動することを規制することが可能になっている。
【００６１】  支持棒連結部９１における保持機構基部８３に連結されている部分の周囲には、サイドサポート９５（図２０参照）を取り付けることのできるサイドサポート取付け座９３が設けられている。このサイドサポート９５は、無線アクセスポイント１０における、ストッパ８４やシャッタ８８が当接する側方に対して直交する側方を保持することのできる部材になっている。サイドサポート取付け座９３には、下方側の面に、サイドサポート９５を取り付けるビス（図示省略）と螺合するネジ孔９４が形成されている。
【００６２】  図１９は、図１５に示すスライダがストッパの方向に移動した場合の説明図である。ストッパ８４が機器受け部８２から離れる方向にスライダ８５が移動した場合、スライダ８５に連結されているシャッタ８８は、回動軸８９がスライダ８５と共にストッパ８４側に移動することにより、シャッタ８８もストッパ８４側に引っ張られる。その際に、倒れた状態のシャッタ８８は、回動軸８９よりも下側の部分が当接部９０に接触しているため、倒れた状態のシャッタ８８は、下面側は移動が規制された状態で、上面側がストッパ８４の方向に移動することになる。これにより、シャッタ８８は、倒れた状態における上面側がストッパ８４側を向く方向に回動軸８９を中心として回動する。つまり、シャッタ８８は、ストッパ８４に対向する向きに起き上がり、無線アクセスポイント１０においてストッパ８４によって保持する側面の反対側に位置する側面を保持することが可能になり、ストッパ８４と共に無線アクセスポイント１０を挟み込むことが可能になる。
【００６３】  図２０は、図１５に示す保持機構のサイドサポート取付け座に取り付けられるサイドサポートの正面図である。図２１は、図２０のＨ−Ｈ矢視図である。保持機構基部８３の下面側に位置するサイドサポート取付け座９３に取り付けられるサイドサポート９５は、無線アクセスポイント１０の側面のうち、ストッパ８４とシャッタ８８とが保持する側面に直交する側面を保持するサポート部９６を有している。このサポート部９６は、無線アクセスポイント１０を挟んで両側から保持できるように、対向する２箇所に設けられている。２箇所のサポート部９６は、具体的には、双方の上端側が他方のサポート部９６に近付く方向に折り曲げられており、これによりサポート部９６は、無線アクセスポイント１０の側面の上方側を保持することが可能になっている。
【００６４】  このサポート部９６は、サポート部９６同士の間隔が変化する方向や高さ方向に移動することにより、間隔や高さを変更することが可能になっている。これらの間隔や高さを変更する部分には、蝶ネジ９９が設けられており、蝶ネジ９９を緩めることによりサポート部９６を移動させて間隔や高さを変更することができ、蝶ネジ９９を締めることにより、現在の間隔や高さを維持することが可能になっている。これにより、サポート部９６は、無線アクセスポイント１０の幅や厚さに応じてサポート部９６同士の間隔や高さを変更することが可能になっている。
【００６５】  このように構成されるサポート部９６を有するサイドサポート９５は、サポート部９６同士の間の部分に、保持機構基部８３の下面側に設けられる支持棒連結部９１が通る挿通孔９７と、サイドサポート取付け座９３に形成されるネジ孔９４に螺合するビスが通る取付け孔９８とが形成されている。
【００６６】  サイドサポート９５は、２つのサポート部９６が、ストッパ８４とシャッタ８８とが配設される方向、即ち、保持機構基部８３が延びる方向に直交する方向に位置する向きで、保持機構基部８３の下方側から、挿通孔９７に支持棒連結部９１を通した状態で、サイドサポート取付け座９３に取り付けられる。これにより、保持機構８１は、四方にストッパ８４とシャッタ８８と、２箇所のサポート部９６が位置することになり、無線アクセスポイント１０を、四方で保持することが可能になる。
【００６７】  本実施形態に係る無線アクセスポイント１０の交換金具１は、以上のような構成からなり、以下、その作用について説明する。本実施形態に係る無線アクセスポイント１０の交換金具１は、作業者Ｗが昇降設備を用いることなく、天井２に位置する無線アクセスポイント１０の設置部３に対して、無線アクセスポイント１０の着脱を行うことが可能になっている。交換金具１を用いた無線アクセスポイント１０の着脱作業のうち、まず、交換金具１を用いて無線アクセスポイント１０を天井２の設置部３に取り付ける場合の作業について説明する。
【００６８】  図２２は、無線アクセスポイントを本体部に取り付けた状態を示す説明図である。交換金具１を用いて無線アクセスポイント１０を天井２に取り付ける際には、まず、無線アクセスポイント１０を本体部６０に取り付ける。本体部６０への無線アクセスポイント１０の取り付けは、アタッチメント７７を介して行うため、無線アクセスポイント１０を本体部６０に取り付ける際には、無線アクセスポイント１０にアタッチメント７７を取り付ける。無線アクセスポイント１０へのアタッチメント７７の取り付けは、アタッチメント７７の嵌合部７８を、無線アクセスポイント１０が有するクリップ部（図示省略）に嵌合させる。これにより、無線アクセスポイント１０にアタッチメント７７を取り付ける。
【００６９】  また、無線アクセスポイント１０を本体部６０に取り付ける際には、アクセスポイント側ＬＡＮケーブル１５における中間プラグ１７が設けられる端部側を、本体部６０のケーブル導入口６２から本体部本体６１内に通し、中間プラグ１７を本体部６０の中間レセプタ７３に接続する。アクセスポイント側ＬＡＮケーブル１５の他端側に設けられるＲＪ４５プラグ１６は、無線アクセスポイント１０のＲＪ４５レセプタ１１に接続する。本体部６０の通信用プラグ７２と中間レセプタ７３とは、電気的に接続されているため、このように無線アクセスポイント１０のＲＪ４５レセプタ１１と本体部６０の中間レセプタ７３とをアクセスポイント側ＬＡＮケーブル１５で接続することにより、無線アクセスポイント１０のＲＪ４５レセプタ１１は、本体部６０の通信用プラグ７２と電気的に接続される。
【００７０】  本体部６０への無線アクセスポイント１０の取り付けは、無線アクセスポイント１０に取り付けられたアタッチメント７７を、ビス等の取付部材を用いて本体部６０の底面部６６に取り付ける。これにより、無線アクセスポイント１０を、本体部６０に取り付ける。
【００７１】  図２３は、無線アクセスポイントを保持機構で保持する場合の説明図である。本体部６０に無線アクセスポイント１０を取り付けたら、本体部６０に取り付けられた無線アクセスポイント１０を、支持棒１００に連結された保持機構８１によって保持する。具体的には、保持機構８１が有するサイドサポート９５のサポート部９６同士の間に、シャッタ８８側から無線アクセスポイント１０を通す。つまり、サポート部９６は、サイドサポート９５の側面の上部を保持することができるように、上端側が他方のサポート部９６側に折り曲げられているため、この折り曲げられている部分の下方側に、無線アクセスポイント１０をシャッタ８８側から通す。
【００７２】  なお、サポート部９６の上端で折り曲げられている部分は、この部分の下方に無線アクセスポイント１０を通し易いように、シャッタ８８が位置する側の端部付近で広がっている。つまり、サポート部９６の上端で折り曲げられている部分は、保持機構８１の機器受け部８２からの距離が、シャッタ８８が位置する側の端部付近で大きくなっており、この部分の下方に無線アクセスポイント１０を通す際に、無線アクセスポイント１０を通し易くなっている。
【００７３】  無線アクセスポイント１０は、サポート部９６における折り曲げられている部分の下方を通したら、そのまま移動させてストッパ８４に接触させる。図２４は、無線アクセスポイントを保持機構で保持する際における動作の説明図である。無線アクセスポイント１０をシャッタ８８側からストッパ８４に接触させたら、そのまま無線アクセスポイント１０をストッパ８４に押し付ける、或いは、ストッパ８４を無線アクセスポイント１０に押し付ける。これにより、ストッパ８４を、スライダ８５と共に保持機構基部８３に対して、シャッタ８８が位置する側の反対方向に移動させる。スライダ８５がストッパ８４側に移動することにより、倒れていたシャッタ８８は起き上がり、無線アクセスポイント１０は、起き上がったシャッタ８８とストッパ８４とに挟まれ、これらにより保持される。
【００７４】  スライダ８５がストッパ８４と共に移動する場合、スライダ８５に設けられるスライダストッパ８６（図１５参照）も、スライダ８５と共にストッパ８４が位置する側に移動する。このスライダストッパ８６は、スライダ８５がストッパ８４側に移動してシャッタ８８が起き上がり、無線アクセスポイント１０を保持する状態になった場合に、支持棒連結部９１に連結される支持棒１００の支持棒ロックピン１０５の位置よりも、ストッパ８４側に位置する状態になる。
【００７５】  この状態で、支持棒１００のＯＮ操作ボタン１０２を押して、支持棒ロックピン１０５を支持棒１００の上端から突出する状態、即ち、支持棒ロックピン１０５をＯＮの状態にすると、支持棒ロックピン１０５は、スライダストッパ８６よりも、シャッタ８８側に位置することになる。これにより、シャッタ８８の方向への付勢力がスライダバネ８７から付与されているスライダ８５は、スライダストッパ８６が支持棒ロックピン１０５に当接することにより、シャッタ８８の方向への移動が規制される。このため、シャッタ８８は、起き上がった状態が維持され、保持機構８１は、シャッタ８８とストッパ８４によって無線アクセスポイント１０を挟んで保持する状態が維持される。
【００７６】  なお、保持機構８１には、保持機構基部８３におけるサイドサポート９５のサポート部９６が位置する方向の面に、ストッパ８４とシャッタ８８との間隔の調節用の蝶ネジ９９が配設されている。保持機構８１は、この蝶ネジ９９を緩めることにより、ストッパ８４とシャッタ８８との間隔を調節することができ、蝶ネジ９９を締めることにより、現在のストッパ８４とシャッタ８８との間隔を維持することができる。
【００７７】  図２５は、支持部材で支持する無線アクセスポイントをベース部に取り付ける状態を示す説明図である。本体部６０に取り付けられ、保持機構８１によって保持された無線アクセスポイント１０は、天井２に設置されたベース部２０に本体部６０を取り付けることにより、天井２に取り付ける。このベース部２０は、サーバ側ＬＡＮケーブル５の端部に設けられるＲＪ４５プラグ７（図１参照）が、ベース部２０のＲＪ４５レセプタ４５に予め接続された状態で、天井２に配設されている。サーバ側ＬＡＮケーブル５は、ＲＪ４５レセプタ４５を覆ってベース部２０の上端側に取り付けられるベース部カバー５５（図１参照）に設けられるケーブル導入部５６（図１参照）を通って、ＲＪ４５プラグ７側の端部側がベース部カバー５５内に入り込み、ＲＪ４５レセプタ４５に接続されている。
【００７８】  無線アクセスポイント１０が取り付けられた本体部６０を天井２に取り付ける際には、無線アクセスポイント１０を支持する支持部材８０を用いて、本体部６０を天井２のベース部２０に近付ける。このとき、支持棒１００の操作ボタン１０１は、無線アクセスポイント１０を保持する状態を維持するため、ＯＮ操作ボタン１０２が押された状態にすることにより、ＯＮの状態にする。
【００７９】  図２６は、図２５に示す支持棒の下方に支持棒を継ぎ足した状態を示す説明図である。天井２までの高さが高く、支持部材８０を用いても本体部６０がベース部２０に届かない場合には、支持部材８０が有する支持棒１００の下方に別の支持棒１００を連結し、支持棒１００を継ぎ足す。この場合、新たに追加した支持棒１００は、ＯＮ操作ボタン１０２を押して操作ボタン１０１をＯＮの状態にして継ぎ足すことにより、上段側の連動部材１０６は下方から追加された支持棒１００の支持棒ロックピン１０５に押し上げられ、上段側の支持棒１００の操作ボタン１０１がＯＦＦの状態になる。
【００８０】  支持棒１００同士を連結する場合には、下段側からＯＮ操作ボタン１０２を押して操作ボタン１０１をＯＮの状態にした別の支持棒１００を連結して継ぎ足すことにより、上段側の連動部材１０６は下方から追加された支持棒１００の支持棒ロックピン１０５に押し上げられ、上段側の支持棒１００の操作ボタン１０１が、連結前にＯＮであるかＯＦＦであるかに関わらず、ＯＦＦの状態になる。結果、上段側の支持棒１００の支持棒ロックピン１０５は、下段側の支持棒１００の支持棒ロックピン１０５に連動する状態になる。これにより、保持機構８１のスライダストッパ８６に当接してスライダ８５の動きを規制している、上段側の支持棒１００の支持棒ロックピン１０５の操作を、下段側の支持棒１００の操作ボタン１０１によって行うことができるようになる。
【００８１】  図２７は、図２６に示す支持棒の下方に支持棒を継ぎ足した状態を示す説明図である。さらに支持棒１００を継ぎ足す場合も同様に、新たに最下段に追加する支持棒１００の操作ボタン１０１をＯＮの状態にして連結することにより、この支持棒１００の上側に位置して、操作ボタン１０１がＯＮになっていた支持棒１００の操作ボタン１０１はＯＦＦになる。つまり、支持部材８０を用いて本体部６０をベース部２０に取り付ける場合において、複数の支持棒１００を連結する場合には、最下段の支持棒１００の操作ボタン１０１のみＯＮにし、それ以外の支持棒１００の操作ボタン１０１はＯＦＦになる。これにより、保持機構８１に連結されている支持棒１００の支持棒ロックピン１０５の操作を、最下段の支持棒１００の操作ボタン１０１によって行うことが可能になる。
【００８２】  図２８は、本体部をベース部に取り付ける場合の斜視図である。支持部材８０によって無線アクセスポイント１０を保持することにより、本体部６０がベース部２０に届いたら、本体部６０を、通信用プラグ７２が位置する側からベース部２０内に入り込ませる。本体部６０は、ベース部２０に対しては、下方に向かって開口しているベース部２０における開口部分からベース部２０内に入り込ませる。その際に、本体部６０は、本体部ロックピン６３における第１ロックピン６４が、ベース部２０に形成されるロックピン孔２３における第１ロックピン孔２４側に位置し、第２ロックピン６５が第２ロックピン孔２５側に位置する向きで入り込ませる。
【００８３】  ロックピン孔２３に対する本体部ロックピン６３の向きが適切な向きで、本体部６０が、通信用プラグ７２が位置する側からベース部２０内に入り込むと、本体部ロックピン６３はロックピン孔２３に入り込んでロックピン孔２３を通過し、ガイド溝３０に入り込む。即ち、本体部ロックピン６３は、ガイド溝３０が有する通路部３１の開放部３２から通路部３１内に入り込む。支持部材８０を持ち上げることにより、本体部６０をそのまま上方に移動させると、本体部ロックピン６３は、開放部３２側から、通路部３１における係合部３４が連通している側の端部である係合部連通部３３に向けて通路部３１内を移動する。
【００８４】  また、本体部６０がベース部２０内に入り込むと、本体部６０は、ベース部２０内に設けられる本体部姿勢調整部２６に当接する。本体部姿勢調整部２６には、複数の調整部バネ２７から付勢力が付与されているため、本体部姿勢調整部２６に当接した本体部６０は、本体部本体６１の形状である円筒の軸方向が、ベース部本体２１の形状である角筒の軸方向に沿った方向になるように、姿勢が調整される。本体部６０に設けられる通信用プラグ７２は、このように本体部６０の姿勢が調整された状態で、ベース部２０内に配設される通信用レセプタ４６に接続される。
【００８５】  ベース部２０の通信用レセプタ４６は、サーバ側ＬＡＮケーブル５のＲＪ４５プラグ７が接続されたＲＪ４５レセプタ４５と電気的に接続されており、本体部６０の通信用プラグ７２は、無線アクセスポイント１０のＲＪ４５レセプタ１１と電気的に接続されている。このため、本体部６０の通信用プラグ７２が、ベース部２０の通信用レセプタ４６に接続されることにより、無線アクセスポイント１０のＲＪ４５レセプタ１１は、サーバ側ＬＡＮケーブル５のＲＪ４５プラグ７に対して、電気的に接続された状態になる。
【００８６】  通信用プラグ７２が通信用レセプタ４６に接続された状態で、本体部６０をさらに上方に移動させると、ガイド溝３０の通路部３１内に位置する本体部ロックピン６３は、係合部連通部３３の位置に到達する。本体部ロックピン６３が係合部連通部３３に到達したら、本体部ロックピン６３は、それ以上、上方には移動することができなくなり、本体部６０をそれ以上、上方に移動させることができなくなる。支持部材８０を持っている作業者Ｗは、支持部材８０が上方に移動しなくなったら、本体部ロックピン６３に対して係合部３４が位置する側に支持部材８０を回動させる。
【００８７】  本体部６０の通信用プラグ７２が接続される、ベース部２０の通信用レセプタ４６は、回動部材４０に設けられているため、支持部材８０を回動させることによって本体部６０が回動し、通信用プラグ７２が回動した場合には、通信用プラグ７２と共に、回動部材４０全体が回動する。これにより、本体部６０は、通信用プラグ７２と通信用レセプタ４６との接続を維持したまま回動させることができる。
【００８８】  また、本体部ロックピン６３が、係合部３４が位置する側に向かう方向に本体部６０を回動させた場合、本体部ロックピン６３は、ガイド溝３０の通路部３１に入り込んだ状態で、係合部連通部３３で通路部３１の溝幅方向に移動する。これにより、本体部ロックピン６３は、係合部３４に入り込み、係合部３４と係合する。２箇所のガイド溝３０と、第１ロックピン６４と第２ロックピン６５とは、それぞれ点対称となる位置に設けられているため、本体部６０を回動させることにより、２つの本体部ロックピン６３は、それぞれガイド溝３０の係合部３４と係合する。
【００８９】  図２９は、本体部をベース部に取り付けた状態を示す斜視図である。図３０は、本体部をベース部に取り付けた状態を示す側面図である。詳しくは、支持部材８０を回動させると、本体部ロックピン６３は、通路部３１側から係合部３４側に移動し、係合部３４の溝壁に当接することにより、それ以上は同方向には移動しなくなる。これにより、本体部６０は回動しなくなるので、本体部６０が回動しなくなったら、作業者Ｗは支持部材８０を下方に降ろす。これにより本体部ロックピン６３は、係合部３４内の下端部まで移動し、係合部３４と係合する。
【００９０】  本体部ロックピン６３が係合部３４に係合すると、ベース部２０に設けられる取付完了報知手段５０の接点５１は、本体部ロックピン６３に設けられる電極７５に接触し、電気的に接続される。本体部ロックピン６３に設けられる電極７５は、ボタン電池７６に接続されているため、本体部ロックピン６３に設けられる電極７５と、取付完了報知手段５０の接点５１とが接触した場合、ボタン電池７６の電力が取付完了報知手段５０に流れる。取付完了報知手段５０が有するＬＥＤ５２は、このようにボタン電池７６から供給される電力により、一定時間点灯する。
【００９１】  天井２の下方で支持部材８０を支持する作業者Ｗは、ＬＥＤ５２が点灯したことを視認することにより、本体部ロックピン６３と係合部３４とが係合したことを認識する。本体部ロックピン６３と係合部３４とが係合したことを認識した作業者Ｗは、支持部材８０を無線アクセスポイント１０から取り外す。
【００９２】  図３１は、支持部材を無線アクセスポイントから取り外す際の説明図である。支持部材８０を無線アクセスポイント１０から取り外す際には、支持棒１００のＯＦＦ操作ボタン１０３を押して、操作ボタン１０１をＯＦＦ状態にする。その際に、複数の支持棒１００が連結されている場合には、最下段の操作ボタン１０１をＯＦＦ状態にする。これにより、保持機構８１に連結されている支持棒１００の支持棒ロックピン１０５は、自重によって下方に下がるため、保持機構８１のスライダ８５は、シャッタ８８が位置する側に移動可能になる。このため、スライダバネ８７によって付勢力が付与されているスライダ８５は、シャッタ８８の方向に移動し、シャッタ８８は、このスライダ８５の移動によって倒れる。即ち、保持機構８１は解放状態になる。
【００９３】  無線アクセスポイント１０は、本体部６０を介してベース部２０に取り付けられているため、シャッタ８８が倒れた状態で、支持部材８０を、ストッパ８４が位置する側に移動させることにより、無線アクセスポイント１０をシャッタ８８側から引き抜くことができる。これにより、支持部材８０は、無線アクセスポイント１０から取り外され、無線アクセスポイント１０は、ＲＪ４５レセプタ１１が、サーバ側ＬＡＮケーブル５のＲＪ４５プラグ７に電気的に接続された状態で、天井２に設置される。
【００９４】  次に、無線アクセスポイント１０のメンテナンスや交換を行う際に、天井２に設置された無線アクセスポイント１０を取り外す手法について説明する。無線アクセスポイント１０を取り外す際には、支持部材８０の長さを、複数の支持棒１００を連結することにより、上端の保持機構８１が、天井２に設置された無線アクセスポイント１０に届く長さにする。保持機構８１が無線アクセスポイント１０に届く長さになったら、最下段の支持棒１００に、水平器１１０を取り付ける。また、この場合、支持棒１００の操作ボタン１０１は、全てＯＦＦ状態にする。
【００９５】  水平器１１０は、水平針１１３によって支持部材８０の傾きを視認でき、また、支持部材８０が垂直状態になった場合には、ブザー１１４から音を発する。このため、作業者Ｗは、水平針１１３を視認したり、ブザー１１４からの音を聞いたりすることにより、支持部材８０を垂直状態にし、この状態で、保持機構８１のシャッタ８８側から、サイドサポート９５のサポート部９６同士の間に、無線アクセスポイント１０を通す。支持部材８０が垂直状態のときは、保持機構８１の機器受け部８２は水平状態になっているため、サポート部９６において、無線アクセスポイント１０の側面の上方側を保持する部分の下方側に、無線アクセスポイント１０をスムーズに通すことができる。
【００９６】  サイドサポート９５のサポート部９６同士の間に、無線アクセスポイント１０を通したら、さらに、保持機構８１がシャッタ８８側に移動する方向に支持部材８０を移動させることにより、無線アクセスポイント１０をストッパ８４に当接させる。この状態で、保持機構８１をさらに同方向に移動させることにより、ストッパ８４に連結されるスライダ８５を移動させ、シャッタ８８を起こすことにより、無線アクセスポイント１０を、ストッパ８４とシャッタ８８とで挟んで保持する状態にする。
【００９７】  このように、シャッタ８８が起きたら、支持棒１００のうち、最下段に位置する支持棒１００の操作ボタン１０１をＯＮ状態にする。これにより、保持機構８１に連結される支持棒１００の支持棒ロックピン１０５は上方に突出し、ストッパ８４の移動を規制することにより、ストッパ８４とシャッタ８８とで無線アクセスポイント１０を挟んで保持する状態が維持される。即ち、保持機構８１は、無線アクセスポイント１０の保持状態になる。
【００９８】  保持機構８１が、無線アクセスポイント１０の保持状態になったら、支持部材８０を一旦、上に持ち上げ、係合部３４内の本体部ロックピン６３が、通路部３１が位置する側に向かうように本体部６０を回動させる方向に、支持部材８０を回動させる。つまり、本体部６０をベース部２０に取り付けた場合の反対の動作を、支持部材８０に対して行う。本体部６０を回動させることにより、本体部ロックピン６３が通路部３１まで移動したら、支持部材８０をそのまま下方に下げる。これにより、本体部６０の通信用プラグ７２は、ベース部２０の通信用レセプタ４６から抜けて、さらに、本体部ロックピン６３は、通路部３１の開放部３２から、ガイド溝３０内を抜け出て、ロックピン孔２３を下方側に通過する。
【００９９】  本体部ロックピン６３がガイド溝３０から抜け出たら、支持部材８０をそのまま下方に下げることにより、本体部６０をベース部２０内から抜け出させることができる。本体部６０をベース部２０内から抜け出させたら、保持機構８１で保持している無線アクセスポイント１０を保持機構８１から取り外すが、支持部材８０は長さが長くなっているため、そのままでは支持部材８０を倒して無線アクセスポイント１０を取り外すことができない場合がある。この場合は、支持棒１００の連結を解除することにより、支持部材８０全体の長さを短くしてから、無線アクセスポイント１０を取り外す。
【０１００】  図３２は、無線アクセスポイントを保持している支持部材を短くする場合の説明図である。支持棒１００の連結を解除して支持棒１００を取り外す際には、最下段側に位置する支持棒１００を取り外す。最下段側に位置する支持棒１００を取り外す場合には、そのすぐ上の支持棒１００のＯＮ操作ボタン１０２を押しながら最下段側の支持棒１００を取り外すことにより、この支持棒１００の操作ボタン１０１をＯＮ状態にする。これにより、保持機構８１に連結される支持棒１００の支持棒ロックピン１０５を上方に突出させて、保持機構８１で無線アクセスポイント１０を保持する状態を維持したまま、最下段の支持棒１００を取り外す。
【０１０１】  図３３は、図３２に示す支持部材から、最下段の支持棒を取り外す場合の説明図である。支持部材８０の長さを、さらに短くする場合も同様に、最下段側に位置する支持棒１００のすぐ上の支持棒１００のＯＮ操作ボタン１０２を押しながら最下段側の支持棒１００を取り外す。これにより、保持機構８１で無線アクセスポイント１０を保持する状態を維持したまま、最下段の支持棒１００を取り外す。支持部材８０の長さが短くなり、作業者Ｗが無線アクセスポイント１０や本体部６０を直接触れることのできる状態になったら、ＯＮ状態になっている操作ボタン１０１をＯＦＦにする。これにより、保持機構８１を、無線アクセスポイント１０を解放する状態にし、保持機構８１から無線アクセスポイント１０を取り外す。さらに、本体部６０から無線アクセスポイント１０を取り外して、無線アクセスポイント１０に対して所望の作業を行う。
【０１０２】  以上の実施形態に係る無線アクセスポイント１０の交換金具１は、無線アクセスポイント１０が取り付けられた本体部６０を、天井２に配設されるベース部２０に支持部材８０を用いて着脱するため、作業者Ｗは、昇降設備を用いることなく、着脱を行うことができる。その際に、本体部６０をベース部２０に取り付けることにより、無線アクセスポイント１０のＲＪ４５レセプタ１１と、サーバ側ＬＡＮケーブル５のＲＪ４５プラグ７との電気的な接続も行われるので、機械的な着脱のみでなく、電気的な接続や遮断も行うことができる。これらの結果、無線アクセスポイント１０を容易に着脱することができる。
【０１０３】  また、サーバ側ＬＡＮケーブル５と無線アクセスポイント１０との間で電気的な接続と遮断を行うＲＪ４５プラグ７及びＲＪ４５レセプタ１１には、抜け防止用に爪が付いているため、離れた位置からの無線アクセスポイント１０の取り付け、取り外しが困難になっている。これに対し、実施形態に係る無線アクセスポイント１０の交換金具１では、本体部６０をベース部２０に取り付けることによって、ＲＪ４５プラグ７とＲＪ４５レセプタ１１との電気的な接続が可能になっている。これにより、電気接続部材６から離れた位置からの、無線アクセスポイント１０の取り外しを可能にすることができる。この結果、無線アクセスポイント１０の取り外しを、より確実に容易に行うことができる。
【０１０４】  また、ベース部２０には通信用レセプタ４６が設けられ、本体部６０には通信用プラグ７２が設けられ、通信用レセプタ４６と通信用プラグ７２とは、ベース部２０に対する本体部６０の着脱に伴って挿抜が行われると共に、一対の電気接続部材６同士の間での電気的な接続と遮断を行うことが可能になっている。これにより、ベース部２０に対して本体部６０を取り付けたり取り外したりすることのみで、無線アクセスポイント１０のＲＪ４５レセプタ１１と、サーバ側ＬＡＮケーブル５のＲＪ４５プラグ７との電気的な接続と遮断を行うことができる。この結果、無線アクセスポイント１０の動作性を確保しつつ、無線アクセスポイント１０の着脱を容易に行うことができる。
【０１０５】  また、支持部材８０は、一端側に保持機構８１を備えており、他端側には、保持機構８１の保持状態と解放状態とを切り替える操作ボタン１０１が備えられているため、作業者Ｗは、高所に位置する保持機構８１を、床等の低所にいながら操作することができる。この結果、より確実に、無線アクセスポイント１０の着脱を容易に行うことができる。
【０１０６】  また、支持部材８０には、保持機構８１によって無線アクセスポイント１０を保持することが可能な状態であることを報知する保持可能報知手段が備えられているため、作業者Ｗが低所にいながら保持機構８１の操作をする際に、容易に操作をすることができる。この結果、無線アクセスポイント１０を、より容易に着脱することができる。
【０１０７】  また、本体部６０には本体部ロックピン６３が設けられており、ベース部２０には、ベース部２０への本体部６０の取り付け時に本体部ロックピン６３が係合する係合部３４を有するガイド溝３０が形成されているため、係合部３４に本体部ロックピン６３を係合させることにより、本体部６０を容易にベース部２０に取り付けることができる。この結果、より確実に、無線アクセスポイント１０の着脱を容易に行うことができる。
【０１０８】  また、本体部ロックピン６３は、長さが異なって複数が設けられると共に、ガイド溝３０は、複数の本体部ロックピン６３に対応して複数が設けられており、本体部６０は、それぞれの本体部ロックピン６３が、対応するガイド溝３０に入り込むことによりベース部２０に取り付けることが可能になっているため、本体部６０をベース部２０に取り付ける際に、適切な向きで取り付けることができる。この結果、無線アクセスポイント１０の着脱を、より適切に行うことができる。
【０１０９】  また、支持部材８０は、連結する支持棒１００の数を変更することにより、長さを調節することができるため、無線アクセスポイント１０を設置する部分の高さに応じた適切な長さで着脱作業を行うことができる。つまり、支持部材８０の長さが短い場合には、無線アクセスポイント１０を天井２に届かせることが困難になるため、作業者Ｗが低所にいながら無線アクセスポイント１０を設置することが困難になる。また、無線アクセスポイント１０を設置する部屋が狭い場合において、支持部材８０の長さが長い場合には、支持部材８０を倒すことが困難になるため、支持部材８０を倒して無線アクセスポイント１０を保持機構８１に対して着脱する作業を行うのが困難になる。これに対し、本実施形態に係る交換金具１では、支持部材８０の長さを調節することができるため、無線アクセスポイント１０を設置する部分の高さや部屋の大きさに関わらず、適切な長さで着脱作業を行うことができる。この結果、無線アクセスポイント１０の着脱を、より確実に容易に行うことができる。
【０１１０】  また、ベース部２０には、本体部６０が取り付けられたことを報知する取付完了報知手段５０が備えられているため、作業者Ｗは本体部６０がベース部２０に取り付けられたことを、低所にいながら認識することができる。この結果、より確実に、無線アクセスポイント１０の着脱を容易に行うことができる。
【０１１１】  〔変形例〕  なお、上述した実施形態に係る交換金具１では、無線アクセスポイント１０を本体部６０に取り付けるアタッチメント７７として、レール状のものが用いられているが、アタッチメント７７は、これ以外のものが用いられてもよい。図３４は、実施形態に係る高所設置機器の交換金具の変形例であり、アタッチメントの平面図である。アタッチメント１２０としては、例えば、図３４に示すように、内側がメッシュ状に形成される板状のものが用いられてもよい。具体的には、アタッチメント１２０には、ビスによってアタッチメント１２０を無線アクセスポイント１０に取り付けるための取付け孔１２２として、丸孔１２３と十字孔１２４とが多数形成されている。十字孔１２４は、十字状に開口した孔になっており、座金を用いることにより、十字状の孔のどの部分でも、ビスを通して無線アクセスポイント１０のネジ孔に螺合させることができる。
【０１１２】  また、このアタッチメント１２０は、レール状のアタッチメント７７と比較して無線アクセスポイント１０を覆う面積が大きいため、無線アクセスポイント１０と本体部６０とに接続するアクセスポイント側ＬＡＮケーブル１５を通すための孔であるケーブル導入口１２１が形成されている。このように、アタッチメント１２０に多数の取付け孔１２２を形成することにより、無線アクセスポイント１０の形式を変更した場合でも、いずれかの取付け孔１２２を用いて、アタッチメント１２０を無線アクセスポイント１０に取り付けることができるため、交換金具１の汎用性を高めることができる。
【０１１３】  また、実施形態に係る交換金具１では、無線アクセスポイント１０を設置する部分である高所として、天井２を用いて説明しているが、無線アクセスポイント１０を設置する高所は、天井２以外の部分でもよい。無線アクセスポイント１０を設置する高所としては、壁面における高い位置や、屋外の庇等であってもよい。高所としては、労働安全衛生規則・第５１８条の規定に基づいて、高さが２ｍ以上の箇所に対する無線アクセスポイント１０の着脱作業を高所作業として適用し、高さが２ｍ以上の箇所に位置する設置部３に対して無線アクセスポイント１０を着脱する場合に、交換金具１を用いてもよい。
【０１１４】  また、実施形態に係る交換金具１では、ベース部２０と本体部６０との間で電気的な接続を行う中間接続部材として、イーサネットで用いられる通信用コネクタ７１が用いられているが、中間接続部材は、これ以外のものを用いてもよい。中間接続部材としては、例えば、光ファイバーや電源モジュールで用いられるコネクタを用いてもよい。
【０１１５】  また、実施形態に係る交換金具１では、支持部材８０は、複数の支持棒１００を連結したり取り外したりすることにより、長さを調節することが可能になっているが、支持部材８０は、これ以外の手法によって長さを調節することができるようになっていてもよい。支持部材８０は、例えばテレスコピック状に形成されることにより、伸縮可能に構成されていてもよい。
【０１１６】  また、実施形態に係る交換金具１では、取付完了報知手段５０は、ベース部２０に備えられているが、取付完了報知手段５０は、ベース部２０以外に備えられていてもよく、例えば、本体部６０に設けられていてもよい。取付完了報知手段５０は、本体部６０がベース部２０に取り付けられたことを作業者Ｗに報知することができるものであれば、報知の手段や取り付け位置は、実施形態に記載したもの以外でもよい。
【０１１７】  また、実施形態に係る交換金具１では、交換金具１で着脱を行う高所設置機器として、無線アクセスポイント１０を用いて説明しているが、高所設置機器としては、無線アクセスポイント１０以外のものを用いてもよい。高所設置機器は、例えば、ネットワークカメラや火災警報器、プロジェクタ等が用いられていてもよい。高所設置機器は、天井２や、壁面の高い位置等の高所に設置する機器であれば、機器の機能は問わない。
【０１１８】  また、実施形態に係る交換金具１では、サーバ側ＬＡＮケーブル５と無線アクセスポイント１０との間で電気的な接続と遮断を行う一対の電気接続部材６として、ＲＪ４５プラグ７及びＲＪ４５レセプタ１１が用いられているが、電気接続部材６は、これ以外のものでもよい。電気接続部材６は、挿抜することにより電気的な接続と遮断を行うことができるものであれば、その種類は問わない。
【符号の説明】
【０１１９】  １  交換金具  ２  天井（高所）  ３  設置部  ５  サーバ側ＬＡＮケーブル  ６  電気接続部材  １０  無線アクセスポイント（高所設置機器）  １５  アクセスポイント側ＬＡＮケーブル  ２０  ベース部  ２３  ロックピン孔  ３０  ガイド溝  ３１  通路部  ３４  係合部  ５０  取付完了報知手段  ６０  本体部  ６３  本体部ロックピン（突起部）  ７１  通信用コネクタ（中間接続部材）  ７７、１２０  アタッチメント  ８０  支持部材  ８１  保持機構  ８４  ストッパ  ８５  スライダ  ８８  シャッタ  ９５  サイドサポート  ９６  サポート部  １００  支持棒  １０１  操作ボタン（操作部材）  １０５  支持棒ロックピン  １１０  水平器  １１４  ブザー（保持可能報知手段）
【図１】
2016046894.tif 000003
【図２】
2016046894.tif 000004
【図３】
2016046894.tif 000005
【図４】
2016046894.tif 000006
【図５】
2016046894.tif 000007
【図６】
2016046894.tif 000008
【図７】
2016046894.tif 000009
【図８】
2016046894.tif 000010
【図９】
2016046894.tif 000011
【図１０】
2016046894.tif 000012
【図１１】
2016046894.tif 000013
【図１２】
2016046894.tif 000014
【図１３】
2016046894.tif 000015
【図１４】
2016046894.tif 000016
【図１５】
2016046894.tif 000017
【図１６】
2016046894.tif 000018
【図１７】
2016046894.tif 000019
【図１８】
2016046894.tif 000020
【図１９】
2016046894.tif 000021
【図２０】
2016046894.tif 000022
【図２１】
2016046894.tif 000023
【図２２】
2016046894.tif 000024
【図２３】
2016046894.tif 000025
【図２４】
2016046894.tif 000026
【図２５】
2016046894.tif 000027
【図２６】
2016046894.tif 000028
【図２７】
2016046894.tif 000029
【図２８】
2016046894.tif 000030
【図２９】
2016046894.tif 000031
【図３０】
2016046894.tif 000032
【図３１】
2016046894.tif 000033
【図３２】
2016046894.tif 000034
【図３３】
2016046894.tif 000035
【図３４】
2016046894.tif 000036
【国際調査報告】
2016046894.tif 000037
2016046894.tif 000038
2016046894.tif 000039
2016046894.tif 000040